(57)【特許請求の範囲】
【請求項１】
臭気を帯びた無生物材料に適用すると、該材料の臭気を減少させる、希釈可能な液体組成物であって、
ａ）全組成物の約１０〜５０重量％のアルデヒド・ベースの臭気中和剤成分、
ｂ）全組成物の約２５〜６０重量％の中和剤成分用可溶化剤、
ｃ）全組成物の約２〜２０重量％の中和剤成分用共溶媒、
ｄ）全組成物の約２〜２０重量％のジデシルジメチルアンモニウムクロライドから成る、臭気中和剤成分の効果を減少させない相溶性の第四アミン消毒剤、そして
ｅ）水性媒体(残分)
を含む液体組成物。
【請求項２】
前記組成物がさらに酸性ｐＨ調節剤を含む請求項１に記載の液体組成物。
【請求項３】
前記組成物がさらに芳香剤成分を含む請求項１に記載の液体組成物。
【請求項４】
前記組成物がさらに保存剤を含む請求項１に記載の液体組成物。
【請求項５】
前記臭気中和剤成分が、非環式かつ非テルペン性の脂肪族アルデヒド、非テルペン性脂環式アルデヒド、テルペン性アルデヒド、芳香族基で置換された脂肪族アルデヒド、および二官能性アルデヒドからなるグループから選択された少なくとも１つの第１のアルデヒド、ならびにアルデヒド官能基のα位炭素に非芳香族不飽和基を有するアルデヒド、アルデヒド官能基のα位に芳香族環と共役結合した不飽和基を有するアルデヒド、および官能基が芳香族環にあるアルデヒドからなるグループから選択された少なくとも１つの第２のアルデヒドを含む、アルデヒド化合物の混合物を含む請求項１に記載の液体組成物。
【請求項６】
前記臭気中和剤成分が、２５℃で約４パスカル以下の蒸気圧を有する少なくとも１つのアルデヒド化合物を含む請求項１に記載の液体組成物。
【請求項７】
前記臭気中和剤成分が、１０乃至１２炭素原子を含む脂肪族アルコール、１０乃至１３炭素原子を有するアルデヒド、１３乃至１８炭素原子を有する脂肪族ケトン、遮蔽用臭気と１８個までを限度として炭素原子とを有する芳香族ケトン、８乃至１５炭素原子を有する脂肪族エステル、芳香族ラクトン、フェノール、芳香族エーテル、アミン型のニトロ化合物、芳香族アミンから成る群から選択される化合物を含み、当該化合物は２５℃で約４パスカル以下の蒸気圧を有する、請求項１に記載の液体組成物。
【請求項８】
前記臭気中和剤成分が、１０乃至１２炭素原子を含む脂肪族アルコール、１０乃至１３炭素原子を有するアルデヒド、１３乃至１８炭素原子を有する脂肪族ケトン、遮蔽用臭気と１８個までを限度として炭素原子とを有する芳香族ケトン、８乃至１５炭素原子を有する脂肪族エステル、アントラニル酸メチル、Ｎ−メチルアントラニル酸メチル、フェニル酢酸ｐ−クレシル、サリチル酸アミル、クマリン、ジヒドロクマリン、ガンマデカラクトン、ドデカラクトン、ウンデカラクトン、オイゲノール、イソオイゲノール、ジフェニルオキサイド、インドール及びそのヒドロキシシトロネラとの反応生成物、及び２−（２’−メチル−ペント−２’エニル）−５−メチルイドリンから成る群から選択される化合物を含み、当該化合物は２５℃で約４パスカル以下の蒸気圧を有する、請求項１に記載の液体組成物。
【請求項９】
前記可溶化剤がアルキルオキシポリエチレンオキシエタノールである請求項１に記載の液体組成物。
【請求項１０】
請求項１に記載の液体組成物を水で希釈することにより得られる液体組成物であって、
ａ）全組成物の約０．１〜１．０重量％のアルデヒド・ベースの臭気中和剤成分、
ｂ）全組成物の約０．３〜０．８重量％の中和剤成分用可溶化剤、
ｃ）全組成物の約０．０３〜０．３重量％の中和剤成分用共溶媒、
ｄ）全組成物の約０．０５〜５．０重量％のジデシルジメチルアンモニウムクロライドから成る、臭気中和剤成分の効果を減少させない相溶性の第四アミン消毒剤、そして
ｅ）水性媒体(残分)
を含む液体組成物。
【請求項１１】
請求項１に記載の液体組成物を水で希釈することにより得られる液体組成物であって、
ａ）全組成物の約０．３３重量％のアルデヒド・ベースの臭気中和剤成分、
ｂ）全組成物の約０．６４重量％の中和剤成分用可溶化剤、
ｃ）全組成物の約０．１３重量％の中和剤成分用共溶媒、
ｄ）全組成物の約０．１重量％のジデシルジメチルアンモニウムクロライドから成る、臭気中和剤成分の効果を減少させない相溶性の第四アミン消毒剤、そして
ｅ）水性媒体(残分)
を含む液体組成物。
【請求項１２】
ａ）全組成物の約１０〜５０重量％のアルデヒド・ベースの臭気中和剤成分、
ｂ）全組成物の約２５〜６０重量％の中和剤成分用可溶化剤、
ｃ）全組成物の約２〜２０重量％の中和剤成分用共溶媒、
ｄ）全組成物の約２〜２０重量％のジデシルジメチルアンモニウムクロライドから成る、臭気中和剤成分の効果を減少させない相溶性の第四アミン消毒剤、そして
ｅ）水性媒体(残分)
を含む希釈可能な液体組成物を調製すること、および
前記液体組成物を水で少なくとも約２５倍に希釈し、希釈した組成物を臭気を帯びた無生物材料の表面に適用することを含む、臭気を減少させる方法。
【請求項１３】
前記液体組成物を水で約２５倍から約１５０倍の間に希釈する請求項１２に記載の方法。
【請求項１４】
前記液体組成物を水で約７５倍に希釈する、請求項１２に記載の方法。
【発明の詳細な説明】
【技術分野】
【０００１】
関連出願の相互参照文献：これは２００１年４月１６日出願の米国における仮出願第６０／２８４，０７２号の優先権を主張するものである。
米国政府の後援による研究または開発：なし
本発明は、物体の表面に適用して物体が帯びる悪臭を減少するために使用する水性組成物に関する。これらの組成物はアルコールを含まず、主に悪臭中和剤としての少量のアルデヒド含有臭気中和剤を含む。また、それらは少量の芳香剤を含んでもよい。さらに、組成物は選択した第四アミン消毒剤化合物を含んでもよい。組成物は一般に少量の材料をテーブル、カウンター、備品、カーペット、カーテン、クッション、ベッドカバーなど処理すべき表面にスプレーすることによって適用される。
【背景技術】
【０００２】
生活環境はしばしば環境の様々な要素上に付着しあるいはその内部に吸着または吸収された不快な臭気で汚染されることがある。これが屋外で起きるときはさほど不快ではないが、屋内で起きるときには、特にこれらの臭気に敏感な人々にとって不快なものとなる。料理の臭気は台所で発生し、時には不快なものとなって長期間残る。ペットの臭気はペットが居住領域に許されているときに起きる一般的な悪臭である。犬および猫は一般的な家庭用ペットであり、彼らが存在することによって、そのペットがそこに居ないときでも、居住空間に不快な臭気が存在し得る。ペットの尿、特に猫の尿は特に不快で、除去するのが困難な臭気である。他の特にどこにでもある一般的な臭気はタバコの煙である。タバコの煙が居住空間に存在すると、室内の多くの物品はタバコの煙の臭気を保持し、除去するのが非常に難しい。
【０００３】
したがって、この問題に対処するために多くの製品が市場に出現してきた。それらには２種類の傾向があるといえる。より強い、より快適な芳香を提供することによって臭気を遮蔽するか、あるいは悪臭分子と化学的に反応させてその匂いを変えることによって、または新しい分子が容易に相変化して大気に蒸発することのないように蒸気圧の高い分子を作り上げることによって、または他の何らかの機構によって臭気を中和するかのいずれかである。
【０００４】
環境は人の嗅覚によって検知することのできる多くの分子を含んでいる。一般に、それらは不快ではなく、もしそうであっても一時的なものである。しかし、場合によっては環境中の一定の匂い分子が検出されないようにすることが望ましいことがわかっている。一般に、これは空気を濾過することによって、あるいはより快適な匂いをもち、嗅覚によって選択的に検知される他の分子を加え、匂い分子の存在を遮蔽することによって行われる。エアロゾルとして散布する多くの室内空気清浄剤はこのようにして働く。しかし、単に感知できる分子をさらに加えることによって臭気をマスク（遮蔽）することは必ずしも望ましくない。これには多くの場合環境にその物質を大量に放出するので、これもまた問題になり得る。第２の匂いは臭気を十分にはマスクできなかったり、短期間でその効果を失うかもしれない。最近では不快な臭気を単に他の芳香によってマスクするのではなく、不快な臭気の蒸気圧を増加させることによって、あるいは他の何らかの機構などによって不快な臭気の主成分と反応して検知され難くする組成物が開発されてきた。
【発明の開示】
【発明が解決しようとする課題】
【０００５】
本発明者は、従来技術の遮蔽型組成物がタバコの煙など、ある種の臭気の悪臭印象を長時間にわたって減少させるには不十分であることを見出した。また、さらに優れた中和剤型組成物であっても、出荷に都合が良いように十分に濃厚で現場で希釈できるように、あるいは臭気を長期間中和できるように組成物を処方することはできないであろう。
【課題を解決するための手段】
【０００６】
本発明は従来技術の組成物のある種の欠点を克服する、悪臭を減少する方法および組成物である。詳細には、本発明者は例えばタバコの煙の悪臭を組成物の適用後長期間にわたって優れた抑制作用を提供する組成物を調製することに成功した。さらに、本発明の組成物は、使用時に安定で透明な悪臭減少組成物に希釈することのできる、安定で透明な濃厚エマルジョンとして処方することが可能である。一実施形態では本発明は殺菌、消毒または殺生物性の特性も有する。
【０００７】
本発明の組成物は臭気中和剤成分、水、界面活性剤、および任意選択的に他の可溶化剤および１つ以上の保存剤と同様に悪臭減少組成物を含む。任意選択的に組成物は第四アンモニウム消毒成分を含む。組成物は市販運送用に濃厚な形で調製し、次いで使用時に希釈することができる。本発明の臭気中和剤組成物は、悪臭減少のために使用されるある種の芳香組成物を溶解するために必要な低分子量のアルコールを必要とせず、比較的濃厚な形で調製できることが見出された。
【０００８】
好ましい臭気中和剤成分は任意選択的にいくらかの芳香成分を含んでもよいアルデヒド含有組成物である。適切な中和剤組成物は、「Ｄｅｏｄｏｒａｎｔ  Ｃｏｍｐｏｓｉｔｉｏｎｓ  Ｃｏｎｔａｉｎｉｎｇ  Ａｔ  Ｌｅａｓｔ  Ｔｗｏ  Ａｌｄｅｈｙｄｅｓ  Ａｎｄ  Ｔｈｅ  Ｄｅｏｄｏｒａｎｔ  Ｐｒｏｄｕｃｔｓ  Ｃｏｎｔａｉｎｉｎｇ  Ｔｈｅｍ」の名称で１９９８年８月１８日発行された米国特許第５，７９５，５６６号、および「Ａｇｅｎｔ  Ｎｅｕｔｒａｌｉｚｉｎｇ  Ｂａｄ  Ｓｍｅｌｌｓ  Ｆｒｏｍ  Ｅｘｃｒｅｔｉｏｎｓ  ａｎｄ  Ｅｘｃｒｅｍｅｎｔｓ  Ｏｆ  Ａｎｉｍａｌｓ」の名称で１９８９年６月２０日発行の米国特許第４，８４０，７９２号に記載されている。中和剤成分は濃厚形組成物中では組成物の約１０重量％〜約５０重量％の量、最も好ましくは組成物の約２５重量％存在する。この濃厚組成物の１部を重量で約２５部以上、好ましくは約２５〜１５０部、および最も好ましくは約７５部の水で希釈するので、直ちに使用可能な形では中和剤成分が全組成物の約０．１重量％〜約１重量％の量存在する。
【０００９】
上述の中和剤組成物は一般に水に容易に溶解しないので、それらを水性媒体中に溶解するのを助ける他の成分が必要である。本明細書に使用する用語「可溶化する（ｓｏｌｕｂｉｌｉｚｅ）」はエマルジョン、マイクロエマルジョン、または溶液の形のいずれかで、安定した均質な液体組成物を形成することを意味する。したがって、組成物は中和剤成分が水性媒体に溶解するのを助ける可溶化剤および共溶媒も含む。
【００１０】
一般に可溶化剤だけ、代表的には界面活性剤単独または界面活性剤の混合物だけでは安定したゲルの無い液体を形成することはできず、溶液またはエマルジョンの形で希釈できる透き通った液体を提供することができない。共溶媒は可溶化剤と協働して中和剤成分を、ゲル化しない比較的高い濃度で水に溶解できるようにする。これは希釈可能な商業的品質の濃厚物を提供するために必要なことである。
【００１１】
上述の成分は水性媒体、一般に水の中で混合する。他の成分も任意選択的に組成物に加えることもできる。例えば酸を加え、中和剤がアミン・ベースの悪臭分子と容易に反応するように、組成物のｐＨを弱酸性に制御してもよい。クエン酸は組成物のｐＨを制御するのに有用である。保存剤も細菌またはカビが貯蔵中または適用後に生育
するのを回避するために加えることができる。保存剤はそれが中和剤成分と反応してその効果を減少することがないよう選択すべきである。
【００１２】
殺生物性成分を本発明の中和剤組成物に加えることができる。さらに詳細には、精選した第四アミンはアルデヒドの中和剤組成物の効力を大きく損なわずに効果的であることが見出された。
【００１３】
一実施形態では、本発明は材料に適用すると臭気を帯びた無生物材料の臭気を減少させる希釈可能な液体組成物に関し、組成物は、全組成物の約１０〜５０重量％の臭気中和剤成分、全組成物の約２５〜６０重量％の中和剤成分用可溶化剤、全組成物の約２〜約２０重量％の中和剤成分用共溶媒を含み、残りは水性媒体である。
【００１４】
他の実施形態では、本発明は材料の表面に適用すると臭気を帯びた無生物材料の臭気を減少させる希釈液体組成物に関する。これらの組成物は、全組成物の約０．１〜１．０重量％の臭気中和剤成分、全組成物の約０．３〜０．８重量％の中和剤成分用可溶化剤、全組成物の約０．０３〜約０．３重量％の中和剤成分用共溶媒を含み、残りは水性媒体である。
【００１５】
他の実施形態では、本発明は材料の表面に適用して臭気を帯びた無生物材料の臭気を減少させるための液体組成物に関し、この組成物は、全組成物の約０．１〜１．０重量％の臭気中和剤成分、全組成物の約０．３〜０．８重量％の中和剤成分用可溶化剤、全組成物の約０．０３〜約０．３重量％の中和剤成分用共溶媒を含み、残りが水性媒体である組成物を生成するように希釈することができる。
【００１６】
さらに他の実施形態では、本発明は臭気を帯びた材料の表面に中和剤組成物を適用することによって臭気を帯びた無生物材料の臭気を減少させる方法に関し、全組成物の約１０〜５０重量％の臭気中和剤成分、全組成物の約２５〜６０重量％の中和剤成分用可溶化剤、全組成物の約２〜約２０重量％の中和剤成分用共溶媒を含み、残りが水性媒体である希釈可能な液体組成物を調製し、その組成物を水で少なくとも約２５倍に希釈し、希釈した組成物を臭気を帯びた表面に適用することを特徴とする。
【００１７】
さらに他の実施形態では、本発明は、全組成物の約１０〜５０重量％の臭気中和剤成分、全組成物の約２５〜６０重量％の中和剤成分用可溶化剤、中和剤成分と反応しないかまたは中和剤組成物の効果を大きく減少させない第四アミン約３〜約１５重量％を含み、残りが水性媒体である希釈可能な消毒および臭気中和組成物を含む。
【００１８】
さらに他の実施形態では、本発明は約３〜１５％の共溶媒を加えた上述の消毒および臭気中和剤組成物、およびその組成物を使用して臭気を帯びた材料の臭気を減少させる方法に関する。
【発明の効果】
【００１９】
本発明の組成物は材料の望ましくない臭気を減少させるのに有用である。材料は水性の形で容器からスプレーなどによって適用し、組成物を臭気分子と反応させて検出可能な臭気の存在を減少させる。すなわち、本発明の製品は、臭気を減少させる主な機構として、臭気分子と反応して環境に存在する検知可能な臭気の存在を減少させる能力を有する。
【発明を実施するための最良の形態】
【００２０】
好ましい臭気中和剤成分はアルデヒド含有組成物であり、これは任意選択的になんらかの芳香成分を含むことができる。適切な中和剤組成物は「Ｄｅｏｄｏｒａｎｔ  Ｃｏｍｐｏｓｉｔｉｏｎｓ  Ｃｏｎｔａｉｎｉｎｇ  Ａｔ  Ｌｅａｓｔ  Ｔｗｏ  Ａｌｄｅｈｙｄｅｓ  Ａｎｄ  Ｔｈｅ  Ｄｅｏｄｏｒａｎｔ  Ｐｒｏｄｕｃｔｓ  Ｃｏｎｔａｉｎｉｎｇ  Ｔｈｅｍ」の名称で１９９８年８月１８日発行された米国特許第５，７９５，５６６号、および「Ａｇｅｎｔ  Ｎｅｕｔｒａｌｉｚｉｎｇ  Ｂａｄ  Ｓｍｅｌｌｓ  Ｆｒｏｍ  Ｅｘｃｒｅｔｉｏｎｓ  ａｎｄ  Ｅｘｃｒｅｍｅｎｔｓ  Ｏｆ  Ａｎｉｍａｌｓ」の名称で１９８９年６月２０日発行の米国特許第４，８４０，７９２号に記載されている。
【００２１】
本発明に有用な好ましい中和剤成分はアルデヒドの混合物を含み、化合物を個々に使用したときよりも優れていることがわかっている。組成物は非環式かつ非テルペン性の脂肪族アルデヒド、非テルペン性脂環式アルデヒド、テルペン性アルデヒド、芳香族基で置換された脂肪族アルデヒド、および二官能性アルデヒド（便宜的にすべて「グループＡ」アルデヒドと呼ぶ）から選択された第１のアルデヒドを含む。第２の種類のアルデヒド（便宜的に「グループＢ」アルデヒドと呼ぶ）には、アルデヒド官能基のα位炭素に非芳香族不飽和基を有するアルデヒド、アルデヒド官能基のα位に芳香族環と共役結合した不飽和基を有するアルデヒド、および官能基が芳香族環上に保持されたアルデヒドが選択される。各グループの多くの例が前述の米国特許に記載されている。組成物は上述の両グループのアルデヒドを少なくとも１つづつ含み、各グループのアルデヒドが少なくとも１つづつある限り、３つ以上のアルデヒドを含むことができる。これらの材料はニュージャージー州オークランドのＲｏｂｅｒｔｅｔ  Ｆｒａｇｒａｎｃｅｓから入手可能であり、種々の香りと量の芳香成分を含んだアルコール不使用組成物として入手可能であり、あるいは無香のものもある。これらのＲｏｂｅｒｔｅｔ製品はＴＱ１９、ＴＥ−７７、ＵＣ１１および多くの他の名称で呼ばれている。
【００２２】
本発明による化合物が比較的低い蒸気圧を有し、それらが処理すべき表面上に適度な期間留まることが特に好ましい。一般に、摂氏２５度で約４パスカル以下の蒸気圧を有する化合物が好ましい。
【００２３】
一対のグループＡとＢのアルデヒドは互いに相対的な割合にあることができ、約８０／２０〜２０／８０の割合、特にほぼ等しい量の割合であることが好ましい。
【００２４】
ある組み合わせのアルデヒドはそれ自身の匂い特性を有し、臭気分子との反応および抑制によってそれらを中和するとともに臭気を遮蔽する働きをする。所望であれば、芳香性遮蔽成分を中和剤組成物に加えて遮蔽効果を提供することもできる。さらに、中和剤成分を検知可能な匂い成分が極微量であるかまたはないように処方することもでき、これは環境によっては望ましいことであろう。
【００２５】
中和剤成分は水性媒体に溶解して全組成物の１０重量％〜約５０重量％の中和剤を含む濃厚物を形成することが好ましく、組成物の約２５重量％含むことが最も好ましい。直ちに使用可能な形態中で中和剤成分が全組成物の約０．１重量％〜１重量％の量存在するように、この組成物は濃厚物約１重量部を約７５重量部以上の水で希釈することができる。
【００２６】
本発明のアルデヒド含有中和剤成分は容易に水に溶けない。したがって、可溶化剤を使用してこの種の材料を水性媒体中に分散または溶解させなければならない。種々の界面活性剤材料が可溶化剤として従来よく知られている。しかし、通常使用されている界面活性剤を単独で使用したのでは、本発明の澄明な安定した濃厚物を調製することができないことが本発明者によって見出された。この場合、貯蔵安定性があり、本発明で使用する澄明な溶液に希釈することのできる濃厚物を提供するために、１つ以上の界面活性剤と組み合わせて、さらに中和剤の溶解を助ける共溶媒が必要である。
【００２７】
本発明で最も有用であることが判明した界面活性剤は非イオン性界面活性剤である。ある種のアニオン性界面活性剤は、それらが適用される表面または中和剤組成物中の他の薬剤と不溶性の生成物を形成し、それによって表面に付着物が残り、目に見えることがあるので、好ましくない。有用な界面活性剤は１つまたはそれ以上の低分子量のポリマーを含むことができる。そのような低分子ポリマーとしては、アルコールエトキシラートまたはポリエチレングリコールエーテル、例えば「Ｔｅｒｇｉｔｏｌ」の商品名でＵｎｉｏｎ  Ｃａｒｂｉｄｅ  Ｃｏｒｐｏｒａｔｉｏｎから、または「Ｎｅｏｄｏｌ」の商品名でＳｈｅｌｌ  Ｏｉｌ  Ｃｏｍｐａｎｙから入手可能なアルキルオキシポリエチレンオキシエタノールがある。
【００２８】
上で述べたように、ゲル化せず希釈可能な商業的品質の濃厚物を提供するのに必要とされる比較的高い濃度で中和剤成分を水に十分溶解させるには、共溶媒が必要である。本発明で使用する好ましい共溶媒は、「Ｃａｒｂｉｔｏｌ」の商品名でＵｎｉｏｎ  Ｃａｒｂｉｄｅ  Ｃｏｒｐｏｒａｔｉｏｎから入手可能なジエチレングリコールエチルエーテルなどのグリコールエーテルである。一般に共溶媒は濃厚物中に約２重量％〜約２０重量％の量存在し、最も好ましくは約１０重量％である。
【００２９】
任意選択的に他の成分もその臭気中和剤としての効果を変化させることなく組成物に加えることができる。例えば、中和剤がアミン・ベースの悪臭分子と容易に反応してその臭気を抑制するように、組成物のｐＨを弱酸性に制御するために酸を加えることができる。クエン酸は組成物のｐＨを制御するのに有用である。クエン酸は尿などの中に見出されるある種のアミンまたは尿素の臭気に対する中和剤であるという追加の利点を有する。
【００３０】
細菌またはカビが貯蔵中または適用後に生育するのを回避するために保存剤を加えることもできる。保存剤はそれが中和剤成分と反応してその効果を減少させることのないように選択すべきである。Ｚｅｎｅｃａ  ＡＧ  Ｐｒｏｄｕｃｔｓ社からジプロピレングリコールの溶液の形でＰｒｏｘｅｌ  ＧＸＬとして市場で入手可能な１，２−ベンズイソチアゾリン−３−オンなど、種々の保存剤材料を使用することができる。
【００３１】
殺菌、消毒、または殺生物性特性を有する臭気中和剤組成物を調製することも有用である。本発明者は、殺生物性特性を有することが知られている、Ｎ−アルキル，Ｎ−ジメチルアンモニウムクロライドおよびジデシルジメチルアンモニウムクロライドなどのある種の第四アミン消毒剤組成物が本発明に効果的であり得ることを見出した。これらの化合物は、組成物の中和効果を大きく減少させることなく、本発明の組成物に消毒能力を与える。これらの材料はニュージャージー、フェアローンのＬｏｎｚａ社からそれぞれＢＴＣ１０１０およびＢａｒｄａｃ２２５０の商品名で入手可能である。他の第四アミンおよびある種のビグアニドなど他の知られた殺生物性成分は、本発明の組成物には効果が現れなかった。一般に有用な化合物は希釈された形の組成物の０．０５から約５．０重量％の範囲存在するとき効果的である。材料は多くの場合２５から１５０倍、より好ましくは６０〜７５倍に希釈されるので、濃厚物は一般に濃厚物の約２〜約２０重量％の第四アミンおよび好ましくは約５〜１０重量％を有するであろう。本発明の組成物の試験は以下の実施例に示すように、黄色ブドウ球菌に対して効力を示した。
【００３２】
本発明の組成物は、成分を従来技術によく知られている液体バルク・ミキサー、特に様々な種類の回転ミキサーを使用して単純に混合することによって調製することができる。成分は使用される装置に適合した任意の順序で混合することができ、安定した組成物を提供する。ある種の成分、例えばヒマシ油などは室温で固体であっても、溶融状態に加熱し、次いで液体として他の成分と混合することができる。
【００３３】
希釈された組成物は従来技術によく知られた種々の方法で適用することができる。一般に、希釈された組成物は家庭用および市販の清掃製品に通常使用される手動スプレーボトルから適用されるだろう。適用後の短い期間、組成物は嗅覚試験などの定量的および定性な方法で試験したように、臭気の印象を減少させるのに効果がある。さらに、組成物は臭気、特にタバコの臭気などある種の臭気に対して、競合製品よりも長く臭気減少を維持する優れた能力を示した。例えば、本発明の組成物は３日以上にわたって、臭気の印象を減少する能力を示した。
【００３４】
本発明は以下の実施例を参照することによって説明することができる。
以下の実施例では特に示さない限りすべての組成物は重量％である。
【実施例１】
【００３５】
以下の臭気中和剤、可溶化界面活性剤、および水を含む希釈されたサンプルを効力試験用に調製した。
アルデヒド中和剤（Ｒｏｂｅｒｔｅｔ  ＴＥ−７７）                ０．３９重量％
エトキシル化直鎖アルコール（Ｔｅｒｇｉｔｏｌ  １５−ｓ−９）    ０．９２重量％
脱イオン水                                                    ９８．６９重量％
【００３６】
上の組成物を、種々の臭気を中和するための市販の他の中和剤組成物と比べて試験した。１つの試験では、煙室内で煙の臭気を吸収した織物の両面を湿りを帯びるまでスプレーした。織物の片を４７４ｍｌ（１６オンス）容の広口ガラス瓶に入れて蓋をし、５分間静置した。５分後に広口瓶を開け、１４名の関係者がサンプルを嗅ぎ、煙の悪臭が最も少ない織物サンプルを定めた。１４名の関係者の内、９名が上に示した処方で処理した織物サンプルを選んだ。
【００３７】
他の試験では、上に示した処方の液体７５ｍｌを４７４ｍｌ（１６オンス）の広口ガラス瓶に入れ、種々の家庭臭気を代表する数種の悪臭化学物質のガス状サンプルを液体中にピペットで注入し、広口瓶に蓋をしてサンプルを静置した。広口瓶を開け、液体の上のヘッドスペースをサンプリングし、光イオン化検出器で悪臭濃度をｐｐｍとして検出した。同じ試験を種々の競合製品および水で行って比較した。標準として水を使用した。広口瓶ヘッドスペースの悪臭濃度の平均減少百分率を、１分間、５分間、および１０分間静置した後、標準として水と比較した結果を下の表に示す。
【００３８】
【表１】
0004772274.tif 000002
本発明の組成物は大部分の悪臭に対して競合製品と同等またはそれ以上の効果があった。魚臭を代表するトリメチルアミンに対しては競合品の１つほどの効果はなかった。
【実施例２】
【００３９】
実施例１の希釈処方と似た濃厚組成物を、同じアルデヒド中和剤と界面活性剤を高濃度で混合することによって調製した。しかし、組成物は濁っており、さらなる加工をしなければ市場での使用には適さなかった。本発明による可溶化剤および共溶媒の使用によって以下に示す濃厚組成物を調製することができた。
エトキシル化直鎖アルコール（Ｔｅｒｇｉｔｏｌ  １５−ｓ−９）  ４８．３４％
アルデヒド中和剤（＊）                                        １０．０％
水素化ヒマシ油（ＰＥＧ４０）                                  ２５．０％
ジエチレングリコールモノエチルエーテル（Ｃａｒｂｉｔｏｌ）    １０．０％
クエン酸、５０％液                                              １．４％
１，２−ベンズイソチアゾリン−３−オン、
１０％（Ｐｒｏｘｅｌ  ＧＸＬ）                                ０．０６％
脱イオン水                                                      ５．２％
（＊）種々の処方に使用したアルデヒド中和剤は、それぞれ香調と含有量が異なるＲｏｂｅｒｔｅｔの二重アルデヒド中和剤で、ＲｏｂｅｒｔｅｔによってＴＥ−７７、ＴＱ−１９、ＵＣ１１などと識別されているものである。
上の処方は澄明な安定した液体混合物を形成し、種々の表面に適用するために水で６０または７５倍に希釈して澄明でスプレーすることのできる液体の臭気中和剤を提供した。タバコの煙、タマネギ、およびニンニクなどの種々の悪臭に試験すると、これらの組成物は上の表に示したものと匹敵する中和効果を提供した。さらに、これらの材料は試験したものに対して競合製品よりも数時間長く持続する中和効果を提供した。
【実施例３】
【００４０】
以下の組成物は、選ばれた第四アミン成分群を使用して本発明の臭気中和剤組成物に消毒特性を与える能力を示している。
【００４１】
【表２】
0004772274.tif 000003
組成物を水で６０：１の比に希釈し、５分間の接触時間でＡＯＡＣ殺菌性試験によって試験した。上に示したように、処方Ａは１０本の試験管すべてにおいて細菌の生育がないことを示して優れており、処方ＢおよびＤは１０個の試験管中１本のみで細菌が生育して基準を満たしており、処方ＣおよびＥは１０個の試験管中それぞれ２本および３本で細菌が生育して基準を満たさなかった。